(57)【要約】      （修正有）【課題】利用者を踏面上の適切な載り位置に誘導することが可能な注意喚起機能の高いエスカレータ照明システムを提供することである。【解決手段】エスカレータ照明システムは、ステップ位置検出器１７と、光照射装置１９と、ステップ１２の位置情報に基いて光照射装置１９に光を照射させる光照射制御装置２１と、を備え、光照射制御装置２１は、各ステップ１２の踏面１４の全面がランディングプレート１３から送り出されたことが検出されたときに、光照射装置１９に立ち位置１５に対して足型にデザインされた誘導光を照射させる光照射制御部２２と、各ステップ１２が所定の位置に達したことが検出されるまで、各ステップ１２の立ち位置１５に対する誘導光の照射を継続させる光照射継続制御部２３と、各ステップ１２が所定の位置に達したことが検出されたときには、誘導光の照射を停止させる光照射停止制御部２４とを有する。【選択図】図１
2009256019.tif 000002
【特許請求の範囲】
【請求項１】
利用者が足を載せる踏面を有し、ランディングプレートから連続して送り出されるステップと、ステップの位置を検出するステップ位置検出器と、ステップの踏面に光を照射する光照射装置と、ステップの位置情報に基いて光照射装置に光を照射させる光照射制御装置と、を備えるエスカレータ照明システムにおいて、
光照射制御装置は、
ステップ位置検出器により各ステップの踏面の全面がランディングプレートから送り出されたことが検出されたときに、光照射装置に各ステップの踏面上の適切な載り位置である立ち位置に対して光を照射させる光照射手段と、
ステップ位置検出器により、各ステップが所定の位置に達したことが検出されるまで、光照射装置に、各ステップの立ち位置に対する光の照射を継続させる光照射継続手段と、
ステップ位置検出器により、各ステップが所定の位置に達したことが検出されたときには、光照射装置に光の照射を停止させる光照射停止手段と、
を有することを特徴とするエスカレータ照明システム。
【請求項２】
請求項１に記載のエスカレータ照明システムにおいて、
光照射装置は、各ステップの立ち位置に対して、足型にデザインされた光を照射することを特徴とするエスカレータ照明システム。
【請求項３】
請求項１に記載のエスカレータ照明システムにおいて、
ステップは、立ち位置に紫外線を吸収して蛍光する塗料により足型に塗装された足型塗装部を有し、
光照射装置は、各ステップの立ち位置に対して紫外線を照射する紫外線光源を有することを特徴とするエスカレータ照明システム。
【請求項４】
請求項１から３のいずれか１に記載のエスカレータ照明システムにおいて、
光照射装置は、ランディングプレートの先端部からステップ二つ分の長さの範囲内であって、エスカレータの乗場天井部又は側壁部に設置されることを特徴とするエスカレータ照明システム。
【発明の詳細な説明】
【技術分野】
【０００１】
本発明は、エスカレータ照明システムに係り、特にステップの踏面上の適切な載り位置に利用者を誘導するエスカレータ照明システムに関する。
【背景技術】
【０００２】
エスカレータのステップには、利用者が足を載せる踏面と称される部分があり、その踏面上には利用者の安全を考慮して設定された適切な載り位置である立ち位置が存在する。一般的なエスカレータのステップは、黄色のラインで踏面の周囲を囲むことにより立ち位置を特定しているが、その方法では利用者に対する注意喚起機能が低い、即ちインパクトが弱いため、より効果的な立ち位置への誘導方法が求められている。
【０００３】
このような状況に鑑みて、幾つかの装置等が開発されている。例えば、特許文献１には、踏面側から下方向を透視可能なクリート部材と、このクリート部材の踏面下方に設けられ、クリート部材を透して利用者に情報を提供する情報表示媒体の取り付け部とを備えた利用者コンベアの踏段が開示されている。この踏段に足型を表示することにより利用者に足を載せる位置を指示して注意を喚起することができると述べられているが、常時表示されている足型は、上記の黄色のラインと同様に、利用者に対する注意喚起機能は低いと想定される。
【０００４】
特許文献２には、エスカレータのランディングプレートから送り出されるステップの位置に対して、待機や進め等の複数段階の指示を外部表示手段で外部表示し、ランディングプレートから徐々に全長が現れて第１段となるステップに載るタイミングを知らせてなるエスカレータ乗降支援装置が開示されている。この装置によれば、ステップ上に所定の色彩の光が照射されるので、利用者に対する注意喚起機能は高くなっている。
【０００５】
【特許文献１】特開２００５−２４７４７１号公報
【特許文献２】特開２００６−１４３４１２号公報
【発明の開示】
【発明が解決しようとする課題】
【０００６】
しかしながら、特許文献２の装置は、エスカレータの乗降を支援することを目的とした装置であるため、光の照射スポットは一箇所に固定されている。従って、二つのステップに跨って光が照射される場合がある。例えば、踏面の全面がランディングプレートから送り出されたステップには、載るタイミングを知らせる色彩の光が照射されるが、踏面の全面が完全に送り出された時から遅れて載るケースは多く、その時には２つのステップに跨って光が照射されている。このような場合には、適切な載り位置を利用者に認識させることができない。一方、二つのステップに照射スポットが跨らないように照射スポットを狭くすることも考えられるが、その場合には、利用者の足のサイズよりも照射スポットが大幅に小さくなるので、同じく適切な載り位置を利用者に認識させることができない。以上のように、従来の方法によれば、踏面上の適切な載り位置に利用者を誘導することは困難である。
【０００７】
本発明の目的は、利用者を踏面上の適切な載り位置に誘導することが可能な注意喚起機能の高いエスカレータ照明システムを提供することである。
【課題を解決するための手段】
【０００８】
本発明に係るエスカレータ照明システムは、利用者が足を載せる踏面を有し、ランディングプレートから連続して送り出されるステップと、ステップの位置を検出するステップ位置検出器と、ステップの踏面に光を照射する光照射装置と、ステップの位置情報に基いて光照射装置に光を照射させる光照射制御装置と、を備えるエスカレータ照明システムにおいて、光照射制御装置は、ステップ位置検出器により各ステップの踏面の全面がランディングプレートから送り出されたことが検出されたときに、光照射装置に各ステップの踏面上の適切な載り位置である立ち位置に対して光を照射させる光照射手段と、ステップ位置検出器により、各ステップが所定の位置に達したことが検出されるまで、光照射装置に、各ステップの立ち位置に対する光の照射を継続させる光照射継続手段と、ステップ位置検出器により、各ステップが所定の位置に達したことが検出されたときには、光照射装置に光の照射を停止させる光照射停止手段と、を有することを特徴とする。
【０００９】
また、光照射装置は、各ステップの立ち位置に対して、足型にデザインされた光を照射することが好ましい。
【００１０】
また、ステップは、立ち位置に、紫外線を吸収して蛍光する塗料により足型に塗装された足型塗装部を有し、光照射装置は、各ステップの立ち位置に対して、紫外線を照射する紫外線光源を有することが好ましい。
【００１１】
また、光照射装置は、ランディングプレートの先端部からステップ二つ分の長さの範囲内であって、エスカレータの乗場天井部又は側壁部に設置されることが好ましい。
【発明の効果】
【００１２】
本発明に係るエスカレータ照明システムによれば、光照射制御装置が、ステップ位置検出器により各ステップの踏面の全面がランディングプレートから送り出されたことが検出されたときに、光照射装置に各ステップの踏面上の適切な載り位置である立ち位置に対して光を照射させる光照射手段を有するので、エスカレータに載るタイミングに合わせて誘導光を照射でき、利用者に対する注意喚起機能が高まって、確実に利用者を適切な載り位置へ誘導することが可能になる。
【００１３】
さらに光照射制御装置は、ステップ位置検出器により、各ステップが所定の位置に達したことが検出されるまで、光照射装置に、各ステップの立ち位置に対する光の照射を継続させる光照射継続手段を有するので、ランディングプレートから踏面の全面が送り出された時から載るタイミングが遅くなった場合にも、適切な載り位置に利用者を誘導することが可能になる。
【００１４】
また、制御装置は、ステップ位置検出器により、各ステップが所定の位置に達したことが検出されたときには、光照射装置に光の照射を停止させる光照射停止手段を有するので、不要な光の照射を防止して使用電力の削減を図ることができる。また、少数或いは一つの光照射装置により、連続して送り出される各ステップに対する光の照射が可能になる。
【００１５】
請求項２に記載の発明において、光照射装置は、各ステップの立ち位置に対して、足型にデザインされた光を照射するので、利用者に対する注意喚起機能を大幅に向上させることができる。
【００１６】
請求項３に記載の発明において、ステップは、立ち位置に、紫外線を吸収して蛍光する塗料により足型に塗装された足型塗装部を有し、光照射装置は、各ステップの立ち位置に対して、紫外線を照射する紫外線光源を有するので、簡便な方法により、載るタイミングに合わせて足型を適切な載り位置に表示することができる。
【００１７】
請求項４に記載の発明において、光照射装置は、ランディングプレートの先端部からステップ二つ分の長さの範囲内であって、エスカレータの乗場天井部又は側壁部に設置されるので、エレベータの利用者が連続する所謂混雑時においても、誘導光は利用者に遮られることなく立ち位置に照射される。
【発明を実施するための最良の形態】
【００１８】
以下に図面を用いて本発明に係る実施の形態につき詳細に説明する。図１は、上りエスカレータの乗場天井に光照射装置が設置されたエスカレータ照明システムの構成を示す模式図である。図２は、ステップの立ち位置に対して足型にデザインされた光が照射される様子を示す模式図である。
【００１９】
エスカレータ照明システム１０（以下、照明システム１０とする）が適用されるエスカレータ１１は、図示しないステップチェーンに連結されて移動するステップ１２を有し、そのステップ１２は連続的にランディングプレート１３から送り出される。ステップ１２には、利用者が足を置く踏面１４が存在し、その踏面１４には、利用者の安全を考慮して設定された適切な載り位置である立ち位置１５が存在する。一般的なエスカレータのステップは、黄色のラインで踏面１４の周囲を囲むことにより立ち位置１５を特定しているが、上記のように、その方法では利用者に対する注意喚起機能が低いため、より確実に立ち位置へ誘導する方法が求められている。なお、ランディングプレート１３の先端部には、コムプレート及びくしと称される部材が設置されるが、以下においては、これらの部材も含めてランディングプレート１３として説明する。
【００２０】
照明システム１０は、上記のように、利用者に対する注意喚起機能を高めて、確実に利用者を立ち位置１５へ誘導することを目的とするシステムである。そこで、利用者に対する注意喚起機能を高めるために、エスカレータ１１に載るタイミングに合わせて立ち位置１５に対して光を照射すべく、照射システム１０には、ステップ１２の位置を検出するステップ位置検出器１７が設けられる。なお、立ち位置１５に対して照射される光とは、利用者を立ち位置１５へ誘導するための誘導光である。ステップ位置検出器１７としては、ステップ１２の位置を検出でき、エスカレータ１１に設置できる装置であれば、種々の検出方式のセンサを使用することができる。ステップ位置検出器１７に適用できるセンサとしては、例えば、近接センサや超音波センサなどが挙げられる。
【００２１】
超音波センサは、超音波を検出媒体とした非接触式のセンサであり、検出物体による音波の遮断や、検出物体から反射される音波を測定して検出物体の位置などを検知する。なお、ステップ位置検出器１７としては、音波の代わりに赤外線やその他の光を検出媒体として使用した超音波センサと同様の検出手法によるセンサを使用することもできる。一方、近接センサとは、後述のように電磁誘導等を利用した非接触式のセンサである。なお、これらのセンサのうち、コスト低減等の観点から、近接センサを使用することが好ましい。
【００２２】
近接センサには、動作原理の違いにより、電磁誘導を利用した高周波発振型、磁石を用いた磁気型、静電容量の変化を利用した静電容量型の三つのタイプに大別される。いずれの方式のセンサを使用しても、ステップ１２が近づいたことを検出することが可能である。例えば、ステップ位置検出器１７として、高周波発振型の近接センサを適用した場合には、検出コイルより発生した高周波磁界に検出物体（金属）であるステップ１２が近づくと、電磁誘導によりステップ１２に誘導電流（渦電流）が流れ、この電流によって検出コイルのインピーダンスが変化することによりステップ１２が検出される。
【００２３】
近接センサは、ステップ１２を検出できる所謂検出距離が決まっているので、ステップ１２の踏面１４の全面がランディングプレート１３から送り出されるタイミング、及びステップ１２が所定の位置に達したタイミングを検出できる位置に設置する必要がある。この二つのタイミングが検出できる位置であれば、近接センサの設置場所としては特に限定されず、例えば、図１に示すように、トラス１８であって、ランディングプレート１３の先端部の近傍に設置することができる。各ステップ１２の設置間隔、及びステップ１２の移動速度は、一定であるので、図１に示すように一つの固定した近接センサを使用して、上記の二つのタイミングを検出することができる。
【００２４】
照明システム１０は、図１に示すように、誘導光を照射する光照射装置１９を備えている。光照射装置１９から出力される誘導光は、ステップ１２の踏面１４上の適切な載り位置である立ち位置１５に対して照射される。従って、利用者は立ち位置１５を認識することができ、誘導光により表示される立ち位置１５は、後述するように、エスカレータ１１に載るタイミングに合わせて表示されるので、利用者に対する注意喚起機能を高めることができる。
【００２５】
光照射装置１９は、少なくとも光源を備え、さらに、照射スポットを絞り込むレンズと、足型にデザインされた誘導光を発生される所謂パターンカッタと、を備えていることが好ましい。また、後述するように、移動するステップ１２の立ち位置１５に対する誘導光の照射を継続するために、照射方向を変更させる駆動モータを備えていることが好ましい。以下に光照射装置１９の好ましい構成について具体的に説明する。
【００２６】
光照射装置１９により照射される誘導光は、図1等に示すように、足型にデザインされていることが好ましい。足型にデザインされた誘導光によって、利用者は、足型の上に足を載せようとする心理が強く働くものと考えられ、利用者に対する注意喚起機能を大幅に向上させることができる。
【００２７】
足型にデザインされた誘導光を表示するためには、例えば、光照射装置１９に、足型の貫通孔が形成されたパターンカッタを備え光源からの光をパターンカッタに通す方法や指向性の高いレーザー光源等を使用して光源からの光により直接足型を描く方法などが挙げられる。装置コスト低減等の観点から、上記のように、パターンカッタを使用することが好ましい。
【００２８】
図１に示すように、誘導光は、各ステップ１２の立ち位置１５のみに照射される必要がある。さらに、誘導光の足型のサイズは、利用者の足のサイズと同等サイズであることが好ましい。従って、光照射装置１９は、上記のように、誘導光の照射スポットを絞り込むレンズを備えていることが好ましい。例えば、足型にデザインされた誘導光を各ステップの立ち位置１５のみに対して、且つ利用者の足のサイズと同等のサイズをもって照射する光照射装置１９は、可視光を発する光源（白熱灯、蛍光灯、ＬＥＤなど）と、光源の光を足型にするパターンカッタと、パターンカッタからでた光を絞り込むレンズとを、この順に備える構成であることが好ましい。このような構成とすれば、光照射装置１９をステップ１２からの距離が離れた乗場天井に設置する場合においても、各ステップ１２の立ち位置１５のみに対して適切なサイズの足型を表示することが可能となる。なお、レンズとしては、一般的には、凸レンズが使用されるが、複数のレンズや凹レンズを組み合わせて使用することもできる。
【００２９】
足型のサイズは、例えば、パターンカッタとレンズとの距離を変化させることにより、任意に変更することができる。足型の好ましいサイズとしては、利用者の足が立ち位置１５からはみ出さないように、立ち位置１５のサイズに近いサイズであることが好ましく、具体的には、成人男性の足のサイズを基準とすることが好ましい。また、公知の画像センサ等を設置して利用者の足のサイズを特定し、その情報に基いて表示する足型のサイズを随時変更する制御系を設けることもできる。なお、一つのステップ１２に表示する足型は、図１等に示すように、二つとすることもできるし、両サイドのどちらか一方に一つだけ表示することもできる。ステップ幅の狭いエレベータ１１の場合には、ステップ１２の中央部に一つの足型を表示することが好ましい。
【００３０】
光照射装置１９は、後述する光照射継続制御部２３によって移動するステップ１２の立ち位置１５に対して誘導光の照射を継続することが要求されるため、誘導光の照射方向を変更できる機能を備えている必要がある。誘導光の照射方向を変更するための構成としては、例えば、照射角度の異なる複数の光源（パターンカッタ等も備えることが好ましい）を備える構成や図１及び図３に示すように、誘導光の照射角度を移動させる駆動モータを備える構成が挙げられる。ここで誘導光の照射角度の移動は、光源を固定したままでパターンカッタ及びレンズのみを移動させることによっても行うことができる。光照射装置１９が、複数の光源を備える場合には、ステップ１２の移動に合わせて誘導光を照射する光源を随時切り替えることにより、移動するステップ１２の立ち位置１５に対して誘導光の照射を継続することができる。光照射装置１９が、駆動モータを備える場合には、駆動モータを駆動してステップ１２の移動に合わせて誘導光の照射角度を移動させることにより、移動するステップ１２の立ち位置１５に対して誘導光の照射を継続することができる。また、光照射装置１９は、複数の光源と、駆動モータとを備えた構成とすることもできる。なお、光照射装置１９としては、市販されている装置を使用することができる。
【００３１】
光照射装置１９の光源には、紫外線光源を使用することもできる。紫外線光源とは、肉眼では見えない紫外線を発する光源であり、公知の光源を使用することができる。紫外線光源を使用して足型を立ち位置１５に表示する方法としては、図３に示すように、立ち位置１５に紫外線を吸収して蛍光する塗料により足型に塗装した足型塗装表示部２０を設けて、紫外線を照射することにより、足型を蛍光表示させる方法が挙げられる。足型塗装表示部２０を形成する蛍光塗料としては、可視光により蛍光せず、紫外光により蛍光する塗料である限り、特に限定されない。図３に示す照明システム１０によれば、パターンカッタを使用する必要が無く、且つ照射スポットが立ち位置１５より大きくても、立ち位置１５のみに足型を表示することが可能になる。
【００３２】
光照射装置１９の設置場所としては、各ステップ１２の立ち位置１５に誘導光を照射することができる位置、具体的には、図２（ｂ）に示す踏面１４の全面がランディングプレート１３から送り出されたステップ１２の立ち位置１５と、図２（ｃ）に示す所定の位置に到達したステップ１２の立ち位置１５に対して誘導光を照射できる位置であることが要求される。さらには、光照射装置１９の設置場所は、利用者が連続する所謂混雑時においても誘導光が利用者によって遮断されない位置であることが好ましい。具体的には、ランディングプレート１３の先端部からステップ１２二つ分程度の長さの範囲内であって、図１に示すように、エスカレータ１１の乗場天井部、或いは図３に示すようにエスカレータ１１のデッキボード１６の内側に設置することが好ましい。なお、エスカレータ１１のデッキボード１６の内側以外にも、内側板２５、内側板２５が透明である場合にはデッキボード１６の外側（アウターデッキ）、或いはエスカレータ１１の周囲の構造壁などに設置することもできる。
【００３３】
図１に示すように、照明システム１０は、光照射制御装置２１を備えている。光照射制御装置２１は、照明システム１０の各構成要素の作動を統一的に制御する機能を有する装置である。統一的に制御される各構成要素とは、ステップ位置検出器１７、光照射装置１９等の装置であり、光照射制御装置２１によって、これらの装置は指令を受けて所定の操作を行うことになる。従って、光照射制御装置２１は、これらの装置と接続されており、トラス１８に設けられることが好ましい。
【００３４】
光照射制御装置２１は、光照射装置１９に各ステップ１２の立ち位置１５に対して誘導光を照射させる光照射制御部２２を備えている。誘導光を照射させるタイミングは、光照射制御部２２によって制御され、光照射制御部２２は、ステップ位置検出器１７のステップ位置情報に基いて誘導光を照射させる機能を有する。具体的には、光照射制御部２２は、図２（ｂ）に示す状態、即ちステップ位置検出器１７により各ステップ１２の踏面１４の全面がランディングプレート１３から送り出されたことが検出されたときに、その情報を認識して、光照射装置１９に誘導光を照射させる機能を有する。光照射制御部２２の機能によって、エスカレータ１１に載るタイミングに合わせて誘導光を照射でき、利用者に対する注意喚起機能が高まって、確実に利用者を立ち位置１５へ誘導することが可能になる。
【００３５】
また、光照射制御装置２１は、ステップ位置検出器１７により、各ステップ１２が所定の位置に達したことが検出されるまで、光照射装置１９に、各ステップ１２の立ち位置１５に対する光の照射を継続させる光照射継続制御部２３を備えている。例えば、図１及び図３に示すような一つの光源から構成される光照射装置１９を備える照明システム１０の場合、光照射継続制御部２３は、光照射制御部２２の機能により照射された誘導光を照射した状態で、ステップ１２の移動速度に合わせて上記の駆動モータを駆動させて照射方向を変更させる機能を有する。光照射継続制御部２３の機能によって、ランディングプレート１３から踏面１４の全面が送り出された時から載るタイミングが遅くなった場合にも、立ち位置１５へ利用者を誘導することが可能になる。
【００３６】
光照射制御装置２１は、ステップ位置検出器１７により、各ステップ１２が所定の位置に達したことが検出されたときには、光照射装置１９に光の照射を停止させる光照射停止制御部２４を備えている。具体的には、光照射停止制御部２４は、図２（ｃ）に示す状態、即ちステップ位置検出器１７により、ステップ１２が所定の位置に達したことが検出されたときに、その情報を認識して、光照射装置１９による誘導光の照射を停止させる機能を有する。なお、光照射停止制御部２４は、ステップ位置検出器１７によりステップ１２の踏面１４の全面がランディングプレート１３から送り出されたことが検出されたときから所定時間が経過したことをもって、ステップ１２が所定の位置に達したと認識するように設定することもできる。
【００３７】
ここで所定の位置とは、利用者の利便性や安全性を考慮して決定することができる。例えば、ステップ１２がランディングプレート１３から離間して利用者が載ることができない位置である。誘導光を消灯することにより、ランディングプレート１３から離間したステップ１２への飛び載りを防止するもできる。具体的には、図２（ｃ）に示すように、次のステップ１２の踏面１４の半分がランディングプレート１３から送り出された状態、即ちランディングプレート１３の先端部からステップ１．５個分離間した位置とすることができる。
【００３８】
さらに、光照射停止制御部２４は、ステップ１２の踏面１４の全面がランディングプレート１３から送り出されたことが検出されたときに、そのステップ１２の立ち位置１５に誘導光を照射できる状態とする機能を有することが好ましい。例えば、図１及び図３に示すような一つの光源から構成される光照射装置１９を備える照明システム１０の場合、照射停止制御部２４は、誘導光の照射を停止すると同時に、駆動モータを光照射継続制御部２３による制御とは逆に駆動させて照射方向を変更させる。従って、光照射停止制御部２４によって、連続して送り出される各ステップ１２の全てに対して誘導光を照射することが可能になる。なお、誘導光の照射の停止は、光源を消灯するだけでなく、光照射装置１９に光源の光を遮断するシャッターを設けて、このシャッターを閉じることによっても行うことができる。
【００３９】
光照射制御装置２１は、ＣＰＵと、上記の各制御部の機能を実行する際に使用される制御パラメータ（照射開始位置、時間など）等の入力に用いられる入力装置と、入力した制御パラメータ、制御プログラムなどを記憶する記録装置と、入出力ポートなどを備える装置であって、専用の制御装置或いはコンピュータによって構成することができる。各制御部の機能は、ソフトウェアを実行することで実現でき、具体的には、記憶装置に記憶された制御プログラムを実行することにより実現できる。なお、入力装置など一部の装置を管理部門５０等のエスカレータ１２の外部に設置することもできる。
【００４０】
上記構成の照明システム１０の作用、特に光照射制御装置２１の機能について、図４のフローチャートを用いて詳細に説明する。図４は、照明システム１０の制御手順を示すフローチャートで、各手順は制御プログラムの各処理手順に対応する。以下では、図１及び図２に示す上りエスカレータ１１を例に挙げて説明する。
【００４１】
まず初めに、光照射制御装置２１は、ステップ位置検出器１７に、ステップ１２の踏面１４の全面がランディングプレート１３から送り出されたタイミングを検出させる（Ｓ１０）。即ち、ステップ位置検出器１７は、ステップ１２の位置を測定して、図２の（ｂ）に示すタイミングを検出する。
【００４２】
Ｓ１０において、ステップ１２の踏面１４の全面がランディングプレート１３から送り出されたときには、その情報を認識して、光照射装置１９に、送り出されたステップ１２の立ち位置１５に対して、足型にデザインされた誘導光を照射させる（Ｓ１１）。従って、エスカレータ１１に載るタイミングに合わせて立ち位置１５に足型の誘導光を表示でき、利用者に対する注意喚起機能が大幅に高まる。誘導光が足型であるため、利用者には、足型の上に足を載せようとする心理が強く働いて、確実に利用者を立ち位置１５へ誘導することが可能になる。Ｓ１０及びＳ１１の手順は、光照射制御装置２１の光照射制御部２２の機能により実行される。
【００４３】
光照射制御装置２１は、光照射装置１９をステップ１２に合わせて移動させながら、立ち位置１５に対する誘導光の照射を継続させる（Ｓ１２）。具体的には、誘導光の照射を継続したまま、光照射装置１９の駆動モータを駆動してステップ１２の移動に合わせて誘導光の照射角度を移動させる。従って、移動するステップ１２の立ち位置１５に対して誘導光の照射を継続することができ、ランディングプレート１３から踏面１４の全面が送り出された時から載るタイミングが遅くなった場合にも、対応することができる。また、誘導光が二つのステップ１２に跨って照射されることが無いので、確実に利用者を立ち位置１５へ誘導することが可能になる。この手順は、光照射制御装置２１の光照射継続制御部２３の機能により実行される。
【００４４】
さらに、光照射制御装置２１は、ステップ位置検出器１７に、ステップ１２が所定の位置へ到達したタイミングを検出させる、或いはステップ位置検出器１７により、ステップ１２の踏面１４の全面がランディングプレート１３から送り出されたことが検出されたときから所定の時間をカウントして、ステップ１２が所定の位置へ到達したことを認識する（Ｓ１３）。ここで所定の時間とは、ステップ１２の移動速度を考慮して決定される。なお、所定の位置は、上記のように、利用者の利便性や安全性を考慮して決定することができ、図２（ｃ）に示すように、次のステップ１２の踏面１４の半分がランディングプレート１３から送り出された状態、即ちランディングプレート１３の先端部からステップ１．５個分離間した位置とすることができる。
【００４５】
Ｓ１３において、ステップ１２が所定の位置への到達したときには、その情報を認識して、光照射装置１９に誘導光の照射を停止させると同時に、駆動モータを駆動させて誘導光の照射方向を移動させて、ステップ１２の踏面１４の全面がランディングプレート１３から送り出されたことが検出されたときに、そのステップ１２の立ち位置１５に誘導光を照射できる状態に戻す（Ｓ１４）。従って、連続して送り出される各ステップ１２の全てに対して誘導光を照射することが可能になる。Ｓ１３及びＳ１４の手順は、光照射制御装置２１の光照射停止制御部２４の機能により実行される。
【００４６】
なお、図４に示すフローチャートは、一つのステップ１２における処理手順であり、ステップ１２はランディングプレート１３から連続して送り出されるので、この手順が繰り返し実行されることにより、全てのステップ１２に対して誘導光の表示が可能になる。
【００４７】
以上のように、照明システム１０によれば、光照射制御装置２１が、光照射制御部２２と、光照射継続制御部２３と、光照射停止制御部２４とを備えるので、連続して送り出される各ステップ１２において、載るタイミングに合わせて誘導光を照射でき、利用者に対する注意喚起機能が高まって、利用者を適切な載り位置である立ち位置１５へ確実に誘導することできる。また、誘導光は、足型にデザインされているので、利用者に対する注意喚起機能を大幅に向上させることができる。
【図面の簡単な説明】
【００４８】
【図１】上りエスカレータの乗場天井に光照射装置が設置されたエスカレータ照明システムの構成を示す模式図である。
【図２】ステップの立ち位置に対して足型にデザインされた光が照射される様子を示す模式図である。
【図３】立ち位置に紫外線を吸収して蛍光する塗料により足型に塗装された足型塗装表示部を有するエスカレータ照明システムにおいて、光照射装置から紫外線が照射される様子を示す模式図である。
【図４】照明システムの制御手順を示すフローチャートある。
【符号の説明】
【００４９】
１０  エスカレータ照明システム、１１  エスカレータ、１２  ステップ、１３  ランディングプレート、１４  踏面、１５  立ち位置、１６  デッキボード、１７  ステップ位置検出器、１８  トラス、１９  光照射装置、２０  足型塗装表示部、２１  光照射制御装置、２２  光照射制御部、２３  光照射継続制御部、２４  光照射停止制御部、２５  内側板。
【図１】
2009256019.tif 000003
【図２】
2009256019.tif 000004
【図３】
2009256019.tif 000005
【図４】
2009256019.tif 000006